(57)【特許請求の範囲】
【請求項１】
それぞれ送受信部を有し、互いに送受信が可能な多数の伝送制御装置が伝送路によって順次ループ状に接続されたループ型伝送装置において、
前記伝送制御装置の少なくとも一つを親局として他を子局とし、前記親局が接続される前記伝送路を分断すると共に、それぞれ単独に動作させることが可能な二つのリレー接点を介して、前記親局の前記送受信部と分断された前記各伝送路とを接続し、前記送受信部と分断された前記伝送路との接続状態を切替える切替手段と、
前記切替手段を構成するリレー接点のオン、オフ状態を制御すると共に、そのオン、オフ状態と、前記親局からの送信に対する前記子局からの応答の有無とに基づいて、前記伝送路の断線箇所及び前記子局の故障又はその引込伝送路の断線の少なくとも一つを検出する制御手段と、
を備え、
前記制御手段は、前記子局の数を示す局数情報を記憶した記憶手段を有し、前記リレー接点の一方をオン状態に、他方をオフ状態にして検出された前記子局の応答数と、前記リレー接点の一方をオフ状態に、他方をオン状態にして検出された前記子局の応答数とが等しく、かつ、前記子局の応答数が前記子局の総局数より少ないとき、前記子局の故障又はその引込伝送路の断線と判定することを特徴とするループ型伝送装置。
【請求項２】
前記制御手段は、電源投入時に、故障の前記子局又はその引込伝送路の断線の少なくとも一つを検出することを特徴とする請求項１記載のループ型伝送装置。
【請求項３】
前記制御手段は、外部から伝送状態確認の指令が与えられたとき、故障の前記子局又はその引込伝送路の断線の少なくとも一つを検出することを特徴とする請求項１記載のループ型伝送装置。
【請求項４】
前記制御手段は、一定の周期で、故障の前記子局又はその引込伝送路の断線の少なくとも一つを検出することを特徴とする請求項１記載のループ型伝送装置。
【請求項５】
前記制御手段は、故障の前記子局又はその引込伝送路の断線を検出した情報を記録媒体に記録することを特徴とする請求項１乃至４のいずれかに記載のループ型伝送装置。
【請求項６】
前記親局は表示装置を備え、前記制御手段は、故障の前記子局又はその引込伝送路の断線を検出した情報を前記表示装置に表示することを特徴とする請求１乃至５のいずれかに記載のループ型伝送装置。
【発明の詳細な説明】
【０００１】
【発明の属する技術分野】
本発明は、列車の各車両に搭載された伝送制御装置が伝送路によってループ状に接続され、これらの伝送制御装置の少なくとも一つを親局とし、他を子局として、列車の走行状態や搭載機器の状態を乗務員に報知したり、乗務員の指令を搭載機器に与えたりするループ型伝送装置に関する。
【０００２】
【従来の技術】
図１４はこの種の従来のループ型伝送装置の構成を示すブロック図である。同図において、多数の伝送制御装置１Ｚ，２，３，４，…，ｎ−１，ｎが伝送路１０によってループ状に接続されている。このうち、伝送制御装置１Ｚを親局、伝送制御装置２，３，４，…，ｎ−１，ｎを子局と略称することとする。親局１ＺはＣＰＵ、ＲＯＭ及びＲＡＭを含む制御部１１を有する。このうちＲＯＭはＣＰＵの演算処理に必要な制御手順及び固定データを予め書込み、必要に応じてＣＰＵに提供するもので、ＲＡＭはＣＰＵの演算処理のワーキングエリア又は入出力のバッファとして用いられるものである。制御部１１には、例えば、ＩＣカード等でなる記憶媒体１２と、送信と受信を行うトランシーバーとも称される送受信部１４と、液晶表示部を用いた表示器１３とが接続されている。このうち、送受信部１４は伝送路１０に接続され、その接続経路にインピーダンス整合のための終端抵抗１５が接続されている。
【０００３】
一方、子局２，３，４，…，ｎ−１，ｎは、それぞれＣＰＵ、ＲＯＭ及びＲＡＭを含む制御部２１と送受信部２２とを備え、このうち、送受信部２２が伝送路１０に接続されている。
【０００４】
これら、親局１Ｚ及び子局２，３，４，…，ｎ−１，ｎを伝送路１０によつてループ状に接続することによって、伝送路１０がいずれか１箇所で断線したとしても、列車の走行状態や搭載機器の状態を乗務員に報知したり、乗務員の指令を搭載機器に与えたりすることができる。
【０００５】
【発明が解決しようとする課題】
上述した従来のループ型伝送装置にあっては、伝送路１０が断線しても１箇所であれば情報の伝達に支障をきたさない反面、その検出ができないという問題があった。
【０００６】
また、伝送路１０が２箇所以上で断線した場合と、子局２，３，４，…，ｎ−１，ｎの伝送路１０からの引込み部の断線又は子局自体が故障した場合との識別ができないという問題もあった。
【０００７】
本発明は上記の問題点を解決するためになされたもので、伝送路が２箇所以上で断線した異常と、子局又はその引込み部の異常との識別が可能なループ型伝送装置を提供することを目的としている。
【０００８】
【課題を解決するための手段】
請求項１に係る発明は、それぞれ送受信部を有し、互いに送受信が可能な多数の伝送制御装置が伝送路によって順次ループ状に接続されたループ型伝送装置において、前記伝送制御装置の少なくとも一つを親局として他を子局とし、前記親局が接続される前記伝送路を分断すると共に、それぞれ単独に動作させることが可能な二つのリレー接点を介して、前記親局の前記送受信部と分断された前記各伝送路とを接続し、前記送受信部と分断された前記伝送路との接続状態を切替える切替手段と、前記切替手段を構成するリレー接点のオン、オフ状態を制御すると共に、そのオン、オフ状態と、前記親局からの送信に対する前記子局からの応答の有無とに基づいて、前記伝送路の断線箇所及び前記子局の故障又はその引込伝送路の断線の少なくとも一つを検出する制御手段と、を備え、前記制御手段は、前記子局の数を示す局数情報を記憶した記憶手段を有し、前記リレー接点の一方をオン状態に、他方をオフ状態にして検出された前記子局の応答数と、前記リレー接点の一方をオフ状態に、他方をオン状態にして検出された前記子局の応答数とが等しく、かつ、前記子局の応答数が前記子局の総局数より少ないとき、前記子局の故障又はその引込伝送路の断線と判定することを特徴とする。
【００１２】
請求項２に係る発明は、請求項１記載のループ型伝送装置において、前記制御手段は、電源投入時に、故障の前記子局又はその引込伝送路の断線の少なくとも一つを検出することを特徴とする。
【００１３】
請求項３に係る発明は、請求項１記載のループ型伝送装置において、前記制御手段は、外部から伝送状態確認の指令が与えられたとき、故障の前記子局又はその引込伝送路の断線の少なくとも一つを検出することを特徴とする。
【００１４】
請求項４に係る発明は、請求項１記載のループ型伝送装置において、前記制御手段は、一定の周期で、故障の前記子局又はその引込伝送路の断線の少なくとも一つを検出することを特徴とする。
【００１５】
請求項５に係る発明は、請求項１乃至４のいずれかに記載のループ型伝送装置において、前記制御手段は、故障の前記子局又はその引込伝送路の断線を検出した情報を記録媒体に記録することを特徴とする。
【００１６】
請求項６に係る発明は、請求項１乃至５のいずれかに記載のループ型伝送装置において、前記親局は表示装置を備え、前記制御手段は、故障の前記子局又はその引込伝送路の断線を検出した情報を前記表示装置に表示することを特徴とする。
【００１７】
【発明の実施の形態】
以下、本発明を図面に示す好適な実施形態に基づいて詳細に説明する。
図１は本発明に係るループ型伝送装置の一実施形態を構成する親局の詳細な構成を示すブロック回路図であり、図中、従来装置を示す図１４と同一の要素には同一の符号を付してその説明を省略する。ここで、親局１は終端抵抗１５を含んでなる切替装置１６を付加した点が従来装置と構成を異にしている。切替装置１６は制御部１１によって励磁、非励磁の制御が行われる図示省略の二つのリレーをも含み、一方のリレー接点１７がループ状の伝送路１０を切り分けた一端と送受信部１４との間に接続され、他方のリレー接点１８がループ状の伝送路１０を切り分けた他端と送受信部１４との間に接続されている。
【００１８】
図２は本発明に係るループ型伝送装置の一実施形態を構成する子局２の詳細な構成を示すブロック図であり、ＣＰＵ、ＲＯＭ及びＲＡＭでなる制御部２１と送受信部２２とで構成されている。なお、これ以外の子局３，４．…，ｎ−１，ｎも子局２と全く同様に構成されているのでその説明を省略する。
【００１９】
図３は本発明に係るループ型伝送装置の一実施形態の全体構成を示す系統図である。同図から明らかなように、伝送路１０が親局１を接続する部位で切り分けられており、その一端がリレー接点１７を介して送受信部１４に接続され、その他端がリレー接点１８を介して送受信部１４に接続されている。従って、切替装置１６において、リレー接点１７（以下、理解を容易にするためリレー接点Ｘという）及びリレー接点１８（以下、理解を容易にするためにリレー接点Ｙという）の両方をオン状態にしておけば、従来装置と全く同様に動作することは明らかである。
【００２０】
上記のように構成された本実施形態の動作について、伝送路が１箇所で断線した場合、２箇所以上で断線した場合、子局又はその引込み部が異常である場合に分けて説明する。
【００２１】
（ａ）伝送路が１箇所で断線した場合
先ず、図４に示すように、制御部１１がリレー接点Ｘ及びＹの両方をオン状態に保持し続ければ、たとえ、子局３と子局４との間のＡ点で伝送路１０が断線したとしても、親局１の送受信部１４は、送受信経路３１を経由して子局２及び子局３と伝送可能であり、また、送受信経路３２を経由して子局４，…，ｎ−１．ｎと伝送可能であることから、従来装置と全く同様にして、列車の走行状態や搭載機器の状態を乗務員に報知したり、乗務員の指令を搭載機器に与えたりすることができる。
【００２２】
次に、電源の投入時又は一定の周期で伝送状態を確認するとき、あるいは、外部から伝送状態の確認指令が与えられたとき、図５に示すように、制御部１１がリレー接点Ｘをオン状態に、リレー接点Ｙをオフ状態にそれぞれ保持し、送受信部１４から試験信号を送信させると共に、送受信部１４に対する子局２，３，４，…，ｎ−１，ｎからの応答の有無を検出する。ここで、伝送路１０のＡ点が断線していた場合、送受信経路３１によって、親局１とは子局２，３のみが伝送可能である。従って、子局２及び３が試験信号に応答して信号を返送する。制御部１１には伝送路１０に接続されている子局の台数に関する情報、すなわち、局数情報と、子局２，３，４，…．ｎ−１，ｎが親局１から見てどのような順番で伝送路１０に接続されているかの情報、すなわち、接続情報とを保持している。よって、リレー接点Ｘをオン状態に、リレー接点Ｙをオフ状態に保持して、試験信号に応答する子局の局数と記録媒体１２の情報とを対比することにより伝送路１０がＡ点で断線している可能性が検出される。
【００２３】
次に、図６に示すように、制御部１１がリレー接点Ｘをオフ状態に、リレー接点Ｙをオン状態に保持し、送受信部１４から試験信号を送信させると共に、送受信部１４に対する子局２，３，４，…，ｎ−１，ｎからの応答の有無を検出する。ここで、伝送路１０のＡ点が断線していた場合、送受信経路３２によって、親局１とは子局４，…，ｎ−１，ｎのみが伝送可能である。従って、子局４，…，ｎ−１，ｎが試験信号に応答して信号を返送する。よって、リレー接点Ｘをオフ状態に、リレー接点Ｙをオン状態に保持して、伝送路１０がＡ点で断線している可能性が検出される。
【００２４】
制御部１１は、これら二つの試験から伝送路１０がＡ点で断線していると特定する。この結果、伝送路が１箇所で断線した場合でも、断線箇所を正確に検出することができる。
【００２５】
（ｂ）伝送路が２箇所以上で断線した場合。
先ず、通常伝送時には、図７に示すように、制御部１１がリレー接点Ｘ及びＹの両方をオン状態に保持する。そして、親局１と子局２，３，４，…，ｎ−１，ｎとの間での伝送が行われる。ここで、伝送路１０が子局３と子局４の間のＡ点と、子局ｎ−１と子局ｎの間のＢ点でそれぞれ断線していたとすれば、送受信経路３１によって、親局１と子局２，３とが伝送可能であり、また、送受信経路３３によって、親局１と子局ｎとが伝送可能である。しかし、これ以外の子局とは伝送できない状況に陥る。
【００２６】
そこで、伝送状態の確認時、すなわち、電源の投入時又は一定の周期で伝送状態を確認するとき、あるいは、外部から伝送状態の確認指令が与えられたとき、図８に示すように、制御部１１がリレー接点Ｘをオン状態に、リレー接点Ｙをオフ状態にそれぞれ保持して親局１から子局２，３，４，…，ｎ−１，ｎへ試験信号を送信したとすれば、親局１は子局２及び３とは送受信経路３１により伝送を継続できるが、これ以外の子局４，…，ｎ−１，ｎとは伝送できない。このとき、制御部１１は応答のあった子局の数を記憶する。
【００２７】
次に、図９に示すように、制御部１１がリレー接点Ｘをオフ状態に、リレー接点Ｙをオン状態にそれぞれ保持して親局１から子局２，３，４，…，ｎ−１，ｎへ試験信号を送信したとすると、親局１は子局ｎとは送受信経路３３により伝送を継続できるが、これ以外の子局２，３，４，…，ｎ−１とは伝送できない。このとき、制御部１１は応答のあった子局の数を記憶する。
【００２８】
制御部１１は、リレー接点Ｘをオン状態に、リレー接点Ｙをオフ状態にそれぞれ保持した場合に応答のあった子局の数と、リレー接点Ｘをオフ状態に、リレー接点Ｙをオン状態にそれぞれ保持した場合に応答のあった子局の数と、制御部１１自体が保持する局数情報及び接続情報とに基づいて、伝送路１０が子局３と子局４の間のＡ点と、子局ｎ−１と子局ｎの間のＢ点でそれぞれ断線していると判定する。これによって、伝送路が２箇所以上で断線していることの検出ができる。
【００２９】
（ｃ）子局又はその引込み部が異常である場合
先ず、通常伝送時には、図１０に示すように、制御部１１がリレー接点Ｘ及びＹの両方をオン状態に保持する。そして、親局１と子局２，３，４，…，ｎ−１，ｎとの間でループ状の送受信経路４１により伝送が行われる。ここで、子局３自体が故障し、子局ｎ−１の引込み部（伝送路１０から分岐した部分）が断線していたとすれば、親局１は子局２，４，…，ｎとは伝送できるが、子局３、ｎ−１とは伝送できないことになる。
【００３０】
そこで、伝送状態の確認時、すなわち、電源の投入時又は一定の周期で伝送状態を確認するとき、あるいは、外部から伝送状態の確認指令が与えられたとき、図１１に示すように、制御部１１がリレー接点Ｘをオン状態に、リレー接点Ｙをオフ状態にそれぞれ保持して親局１から図面の右回りの送受信経路４２を介して子局２，３，４，…，ｎ−１，ｎへ試験信号を送信したとすると、前述したと同様に、親局１は子局２，４，…，ｎとは伝送できるが、子局３、ｎ−１とは伝送できないことになる。このとき、制御部１１は応答のあった子局の数を記憶する。
【００３１】
次に、図１２に示すように、制御部１１がリレー接点Ｘをオフ状態に、リレー接点Ｙをオン状態にそれぞれ保持して親局１から図面の左回りの送受信経路４３を介して子局２，３，４，…，ｎ−１，ｎへ試験信号を送信したとすると、前述したと同様に、親局１は子局２，４，…，ｎとは伝送できるが、子局３、ｎ−１とは伝送できないことになる。このとき、制御部１１は応答のあった子局の数を記憶する。
【００３２】
制御部１１は、リレー接点Ｘをオン状態に、リレー接点Ｙをオフ状態にそれぞれ保持した場合に応答のあった子局の数と、リレー接点Ｘをオフ状態に、リレー接点Ｙをオン状態にそれぞれ保持した場合に応答のあった子局の数とが等しいことから、子局又はその引込み部が異常であると判断し、さらに、応答のあった局数と、記録媒体１２に記憶されている局数情報とに基づいて、子局２，３，４，…，ｎ−１，ｎのうちのいずれか二つの子局が故障したか又はその引込み部が断線したことの検出ができる。
【００３３】
なお、図１１及び図１２を用いて説明した確認方法により、一つ、あるいは、三つ以上の子局が故障したか又はその引込み部が断線したことの検出も可能となる。
【００３４】
この場合、故障の状態を記録媒体１２に記録して故障の履歴とする。また、記録媒体１２に記録された故障内容を表示器１３に表示して乗務員に知らせるようにする。
【００３５】
かくして、本実施形態によれば、伝送路が１箇所で断線したこと、及び２箇所以上で断線したことの検出が可能になると共に、伝送路の２箇所以上の断線と子局又はその引込み部の異常との識別が可能になる。
【００３６】
なお、上記の実施形態では複数台の伝送制御装置のうちの１台のみに、記録媒体１２、表示器１３及び切替装置１６を設けて、これを親局としたが、図１３に示すように、これと同様な構成の伝送制御装置１Ａ，１Ｂを接続することによって、それぞれの設置箇所で伝送状態を確認することができる。
【００３７】
なおまた、上記実施形態では故障の状態のみを記録、表示したが、故障又は確認の時刻、又は、故障原因の調査に有効な情報等を記録、表示するようにしても良く、さらに、記録媒体１２として可搬型のものを用い、故障原因の調査を容易にすることもできる。
【００３８】
【発明の効果】
以上の説明によって明らかなように、本発明によれば、伝送路の２箇所以上の断線と子局又はその引込み部の異常との識別が可能になるという効果が得られる。
【図面の簡単な説明】
【図１】本発明に係るループ型伝送装置の一実施形態を構成する伝送制御装置（親局）の詳細な構成を示すブロック回路図。
【図２】本発明に係るループ型伝送装置の一実施形態を構成する伝送制御装置（子局）の詳細な構成を示すブロック図。
【図３】本発明に係るループ型伝送装置の一実施形態の全体構成を示す系統図。
【図４】伝送路が１箇所で断線した場合の検出動作を説明するための系統図。
【図５】伝送路が１箇所で断線した場合の検出動作を説明するための系統図。
【図６】伝送路が１箇所で断線した場合の検出動作を説明するための系統図。
【図７】伝送路が２箇所で断線した場合の検出動作を説明するための系統図。
【図８】伝送路が２箇所で断線した場合の検出動作を説明するための系統図。
【図９】伝送路が２箇所で断線した場合の検出動作を説明するための系統図。
【図１０】伝送制御装置の子局又はその引込み部が異常である場合の検出動作を説明するための系統図。
【図１１】伝送制御装置の子局又はその引込み部が異常である場合の検出動作を説明するための系統図。
【図１２】伝送制御装置の子局又はその引込み部が異常である場合の検出動作を説明するための系統図。
【図１３】本発明に係るループ型伝送装置の他の実施形態の全体構成を示す系統図。
【図１４】従来のループ型伝送装置の全体構成を示す系統図。
【符号の説明】
１，１Ａ，１Ｂ，１Ｃ  伝送制御装置（親局）
２，３，４，…，ｎ−１，ｎ  伝送制御装置（子局）
１０  伝送路
１１  制御部
１２  記録媒体
１３  表示器
１４  送受信部
１５  終端抵抗
１６  切替装置
１７  リレー接点（Ｘ）
１８  リレー接点（Ｙ）
２１  制御部
２２  送受信部
【図１】
0003647670.tif 000002
【図２】
0003647670.tif 000003
【図３】
0003647670.tif 000004
【図４】
0003647670.tif 000005
【図５】
0003647670.tif 000006
【図６】
0003647670.tif 000007
【図７】
0003647670.tif 000008
【図８】
0003647670.tif 000009
【図９】
0003647670.tif 000010
【図１０】
0003647670.tif 000011
【図１１】
0003647670.tif 000012
【図１２】
0003647670.tif 000013
【図１３】
0003647670.tif 000014
【図１４】
0003647670.tif 000015